(57)【特許請求の範囲】
【請求項１】
磁石を配管の流れ方向に対して所定間隔で複数個直列に固定する左右一対の磁石固定具と、該磁石固定具に装着される永久磁石と、前記磁石固定具を配管の両側に固定する左右一対の外箱と内箱とからなる収納ケ−スとで形成した水の磁気化装置であって、
前記磁石固定具を配管の両側に固定したとき、対向する永久磁石の配管側の磁極がＮ極とＳ極になるように形成すると共に前記磁石の一部を他の磁石の磁力より強くなるように形成したことを特徴とする異なる特性を有する磁石の組み合わせによる水の磁気化装置。
【発明の詳細な説明】
【０００１】
【発明の属する技術分野】
本発明は、配管内の水の磁気化を効率よく行うことができる異なる特性を有する磁石の組み合わせによる水の磁気化装置に関する。
【０００２】
【従来の技術】
水道水はその水源によって微妙に水質が異なるが、その多くは最近取水される水質の悪化と共に味や臭いに問題があり、とみにその改善が求められている。また、水はその分子の集団を形成しており、まずいといわれる水道水は平均的に分子集団が大きく、おいしい天然水はこの分子集団が小さいといわれている。水の分子集団の小さい水は、水の分子の動きが活発化し活性化されていて、おいしいと考えられるのである。また一般に、水道配管や貯水槽内部には錆、スケ−ルが発生することが多く、配管、貯水槽内に錆、スケ−ルが発生した場合には管径を狭め流水効率が悪くなり、配管自体の破損につながる恐れがある。そこで水を磁気化処理することにより、水の分子を活性化させ、水をおいしくすると共に、配管内の錆、スケ−ルを溶かして排出する方法が採用されている。
【０００３】
【発明が解決しようとする課題】
ところで、配管内の水の流速が早いときは弱い磁場の中を通過させ、また、水の流速が遅い場合は強い磁場の中を通過させると、水分子の磁気モ−メントと磁界の相互作用により水分子が励起され、その結果、水分子が小さくなって活性化することが知られている。しかしながら、従来では、配管に配置した磁石の磁力が一定であったから、磁力の強さが配管内を流れる水の流速と適合するときは有効に水を磁気化することができたが、そうでないときは有効に水を磁気化することができないという問題があった。
本発明はかかる従来の問題点を解決するためになされたものであって、その目的とするところは、配管に磁力が強い磁石と磁力が弱い磁石を配置することにより配管内の水の流速が早くても遅くても効率よく水を磁気化処理することができる異なる特性を有する磁石の組み合わせによる水の磁気化装置を提供することにある。
【０００４】
【課題を解決するための手段】
前記目的を達成するための手段として、本発明の異なる特性を有する永久磁石の組み合わせによる水の磁気化装置（以下、「水の磁気化装置」という）では、磁石を配管の流れ方向に対して所定間隔で複数個直列に固定する左右一対の磁石固定具と、該磁石固定具に装着される永久磁石と、前記磁石固定具を配管の両側に固定する左右一対の外箱と内箱とからなる収納ケ−スとで形成した水の磁気化装置であって、前記磁石固定具を配管の両側に固定したとき、対向する永久磁石の配管側の磁極がＮ極とＳ極になるように形成すると共に前記磁石の一部を他の磁石の磁力より強くなるように形成した構成を採用した。
【０００５】
本発明の水の磁気化装置では、配管の両側に磁石のＮ極とＳ極を対向させて配置しているので、磁力線は配管の流れを直角に横切り、効率的に磁力線を照射することができる。また、磁石を配管の流れ方向に所定間隔で配置しているので、配管の径に応じて適正間隔の装置を選択し、配管内の流れに対し有効に磁力線を照射することができる。また、配管の両側に配置した磁石の磁力の大きさを変えているので、配管に異なる大きさの磁力線を照射することができ、流速如何に関わらずいつも効率よく磁力線を作用させて磁気化を図ることができる。また、配管の外部から取付ける構造であるため特別の工事を要しない。
【０００６】
【実施の形態】
次に、図面に基づいて本発明の実施の形態を詳細に説明する。図１は本発明の実施形態に係る水の磁気化装置を示す斜視図、図２は同分解斜視図、図３は同磁石固定金具の斜視図、図４は磁石の配置状態を示す説明図、図５は図４におけるＡ−Ａ断面図である。
【０００７】
本実施形態に係る水の磁気化装置１は、図１〜３に示すように、ステンレス等の非磁性体の鋼材から形成される外箱２及び内箱３と、該外箱２及び内箱３の内部に収納される固定具であって、断面Ｍ字形の磁石押え金具４と断面凹状の磁石押え金具５から構成される磁石固定金具６と、該磁石固定金具６を外箱２及び内箱３に接着する固定板７と、前記磁石固定金具６に収納される磁性体である永久磁石８とで構成されている。
【０００８】
前記外箱２及び内箱３は収納ケ−スを構成するものであって、直方体の箱状物で、一面が開放され、側面１０がやや短く、該短く形成された側面１０には半円状の切欠き１１が設けられている。また、外箱２は内箱３よりも高さＴが２〜５ｍｍ程度大きく形成され、外箱２の上面と下面には内側に向かって帯状の凸部が形成され、内箱ストッパ１２となっている。
【０００９】
前記Ｍ字形の磁石押え金具４は、薄板状物を断面Ｍ字状に折り曲げたものであって、側面１５は平板で、中央の折り曲げ部１６は所定間隔で切り抜かれ、４箇所の磁石嵌合孔１７が形成されている。本実施形態では前記磁石嵌合孔１７は長さ４０ｍｍのものが２８ｍｍ間隔で形成されたものが用いられる。前記凹状の磁石押え金具５は、薄板状物の平板を断面略凹状に折り曲げたもので、一面は開放され平板の先部にはＭ字形の磁石押え金具４固定用の折曲辺１８が形成されている。
【００１０】
前記固定板７は平板の一辺に半円状の切欠き２０が形成され、該切欠き２０の形成された反対辺の両端に直角に曲がった爪部２１が形成されている。
【００１１】
Ｍ字形の磁石押え金具４の４箇所の磁石嵌合孔１７には椀状のヨ−クＹに収容された永久磁石８が装着され、該永久磁石８の装着されたＭ字形の磁石押え金具４は、凹状の磁石押え金具５の底辺２２と折曲辺１８の間に嵌め込まれている。その結果、永久磁石８はＭ字形の磁石押え金具４と凹状の磁石押え金具５の間に挟まれ、磁石固定金具６に固定されることになる。永久磁石８はヨ−クＹに囲まれているから、磁力を強めることができる。永久磁石８はヨ−クＹの周側に接触しないように収容されている。そして、磁石固定金具６は凹状の磁石押え金具５の底面２２を外に向け、固定板７の爪部２１を、Ｍ字形の磁石押え金具４の肩部２３に掛止して、外箱２及び内箱３に収納されている。前記固定板７は半円状の切欠き２０を外箱２及び内箱３の半円状の切欠き１１と一致させて側面１０に接着し、半円状の切欠き１１，２０の横部をスポット溶接にて接合している。スポット溶接により、外箱２及び内箱３の側面と固定板７は接着され、固定板７の爪部２１によって掛止されている磁石固定金具６は、外箱２及び内箱３に固定されることになる。
【００１２】
水の磁気化装置１の設置時には、外箱２及び内箱３の半円状の切欠き１１で配管２５を挟み、外箱２の内側に内箱３を嵌合させて設置する。このとき、外箱２に形成された内箱ストッパ１２により、内箱３は適当位置で嵌合し、外箱２と内箱３は配管２５を挟んだ状態で配管２５外部に固定される。そして、配管２５の両側には４箇所に対向した永久磁石８が固定され、流れ方向に向かって隣接する永久磁石８を収容したヨ−クＹ同士の距離はそれぞれ２８ｍｍ離されて配置される。そして、前記永久磁石８の内、上流側の２箇所の永久磁石８は磁力の弱いフェライト磁石（約１６００ガウス）を配置し、残りの永久磁石は磁力の強い希土類磁石（約４８００〜６４００ガウス）を配置して下流側の磁石の磁力が強くなるように形成している。これによりまず上流側で弱い磁力線を照射し、次に下流側で強い磁力線を照射して配管内の水流の流速が毎秒２メ−トル以上で流速が早い場合は弱い磁力線が作用し、毎秒２メ−トル未満の流速が遅い場合は強い磁力線が作用して、水の磁気化を図ることができる。
【００１３】
前記水の磁気化装置１を配管に設置することにより、永久磁石８は、図４，図５に示すように配置される。配管２５の両側には、永久磁石８のＮ極、Ｓ極が対向して固定され、該対向した永久磁石８は隣の永久磁石８同士の間に一定間隔を有して、配管２５の流れ方向に沿って４組配置されている。そして、該間隔は配管径よりも大きくなるように設定されている。また、永久磁石８のうち、流れ方向に対して先頭位置の１組の永久磁石８の極性を入れ替え、配管に接する磁極が流れ方向から一方が（ＮＳＳＳ）、他方が（ＳＮＮＮ）となるように設置されている。
【００１４】
本発明の第２の実施形態に係る水の磁気化装置においては、Ｍ字形の磁石押え金具の磁石嵌合孔は長さ７０ｍｍのものが４５ｍｍの距離をおいて４箇所形成されている。そして、前記磁石嵌合孔には椀状のヨ−クに収容された永久磁石が装着されている。永久磁石の配列順序は、前記実施例と同じく、互いに対向する永久磁石は一方をＮ極、他方をＳ極とし、磁石固定金具に固定される永久磁石のうち、流れ方向に対して先頭位置の永久磁石の極性が違う極性となっている。また、前記第１実施形態と同様に先頭位置側の２個の永久磁石が磁力の弱いフェライト磁石で形成され、後ろ側の２個は磁力の強い希土類磁石を使用している。
【００１５】
次に、本発明の作用について説明する。本発明の第１の実施形態においては、永久磁石を収容したヨ−クＹの距離を２８ｍｍとしているので、直径２８ｍｍ以下の比較的小径の配管に設置する場合には特に有効に作用する。すなわち、隣接する永久磁石を収容したヨ−ク間の距離は２８ｍｍなので、対向する磁石はそれよりも近い距離に位置することになり、磁力線は隣接する磁石の反発力に妨害されることなく対向する磁石に直行し、配管内の水の流れに対して有効に作用する。また、直径４０ｍｍ以下の中径の配管に設置する場合には、本発明の第２の実施形態の水の磁気化装置を適用することにより前記と同一の作用を生じる。そして、磁気固定金具に固定された磁石のうち、流れ方向に対し先頭位置の磁石の極性を入れ替えているので、先頭位置の磁石から発射された磁力線は、隣接する磁石と反発することなく、一部の磁力線は隣接する磁石とも影響し合い、磁力を無駄にすることなく、配管内の水に有効に磁力線を照射することができる。また、外箱と内箱を嵌合させるだけで設置することができるので、配管の回りにわずかの隙間があれば容易に設置することができる。
【００１６】
以上、本発明の実施例を説明してきたが、本発明の具体的な構成は本実施例に限定されるものではなく、発明の要旨を逸脱しない範囲の設計変更等があっても本発明に含まれる。例えば、本実施例では磁石の配置を流れ方向から向かってそれぞれ（ＮＳＳＳ・ＳＮＮＮ）としたが、配管の材質、配管内の水質、流速等に応じて（ＮＮＮＮ・ＳＳＳＳ）、（ＮＳＮＳ・ＳＮＳＮ）、（ＮＳＳＮ・ＳＮＮＳ）とすることは可能である。また、第１の実施形態においては磁石を１個としたが、配管の材質、配管内の水質、流速等に応じて磁石の数を増加することも可能である。また、先頭側の２個の磁石を弱いフェライト磁石で形成し、後ろ側２個を磁力の強い希土類磁石を使用したが、順序が逆でも良い。また、交互に配置してもよい。また、隣接する磁石を収容したヨ−ク間の間隔は、２８ｍｍ間隔乃至４５ｍｍ間隔にしているが、配管の径に応じて適正間隔の装置を選択し、配管内の流れに対し有効に磁力線を照射することができる。
【００１７】
また、隣接する磁石間の距離を対向磁石間の距離より大きくしているが、両者の距離を同一にしたり、逆に隣接する磁石間の距離を対向磁石間の距離より小さくしてもよい。そして、水の磁気化装置の材質としてはステンレスを用いたが、この他セラミックス、合成樹脂等も使用することができる。
【００１８】
【発明の効果】
以上、説明してきたように本発明の水の磁気化装置にあっては、配管の両側に磁石のＮ極とＳ極を対向させて配置しているので、磁力線は配管の流れを直角に横切り、効率的に磁力線を照射することができる。また、配管の両側に配置した磁石の磁力の大きさを変えているので、配管に異なる強さの磁力線を照射することができ、流速如何に関わらずいつも効率よく磁力線を作用させて磁気化を図ることができる。
また、本発明の水の磁気化装置では、配管を左右一対の外箱と内箱で挟み込む構造であるため、配管と設置面にわずかの隙間があれば、容易に設置することができる。
【図面の簡単な説明】
【図１】本発明の実施例に係る水の磁気化装置を示す斜視図である。
【図２】同分解斜視図である。
【図３】同磁石固定金具の斜視図である。
【図４】同磁石の配置状態を示す説明図である。
【図５】図４におけるＡ−Ａ断面図である。
【符号の説明】
１ 水の磁気化装置
２ 外箱（収納ケ−ス）
３ 内箱（収納ケ−ス）
４ Ｍ字形の磁石押え金具
５ 凹状の磁石押え金具
６ 磁石固定金具
７ 固定板
８ 永久磁石
２５ 配管
Ｙ ヨ−ク
【図１】
0003946872.tif 000002
【図２】
0003946872.tif 000003
【図３】
0003946872.tif 000004
【図４】
0003946872.tif 000005
【図５】
0003946872.tif 000006